(57)【要約】【課題】  ３次元ＣＡＤによる、複数階からなるプラントの機器配置設計システムにおいて、上下方向の機器位置調整に手間がかかるという問題を解決する。【解決手段】  プラントを構成する機器の３次元空間上の位置を予め定めた基準配置ルールデータベースを演算処理装置に格納する。プラント出力，各階の高さ，機器構成および建屋寸法等のプラント基本計画情報を演算処理装置に入力する。プラント基本計画情報に含まれる標準的な構造材の情報をもとに３次元空間上に基準となる座標系を設定する。前記基準配置ルールに沿って、機器・配管・通路および各階毎床のソフトボリュームを前記座標系上に機器配置位置として設置して機器配置設計図面を作成する。以上により、経験の少ない者でも容易に機器配置設計を行うことができ、且つ干渉発生を起こりにくくすることができる。【選択図】図１
2006330887.tif 000002
【特許請求の範囲】
【請求項１】
複数階からなるプラントの機器配置設計を３次元ＣＡＤにより３次元的に行うプラント機器配置設計システムであって、プラントを構成する機器の３次元空間上の位置を予め定めた基準配置ルールデータベースを備え、演算処理装置にプラント出力，各階の高さ，機器構成および建屋寸法等のプラント基本計画情報を入力し、前記プラント基本計画情報に含まれる標準的な構造材の情報をもとに３次元空間上に基準となる座標系を設定し、前記配置ルールに沿って、機器・配管・通路および各階毎床の仮想空間を前記座標系上に機器配置位置として設置して機器配置設計を行うことを特徴とするプラント機器配置設計システム。
【請求項２】
請求項１記載のプラント機器配置設計システムにおいて、前記プラント基本計画情報および機器据え付け・搬入・分解等のメンテナンス情報を入力する機能を有することを特徴とするプラント機器配置設計システム。
【請求項３】
請求項１記載のプラント機器配置設計システムにおいて、前記入力する情報として、プラント敷地面積、プラント型式、顧客要求仕様、各階高さ、設置する機器、メンテナンスに必要な空間、および各階層での機器接続ルールが含まれることを特徴とするプラント機器配置設計システム。
【請求項４】
請求項１記載のプラント機器配置設計システムにおいて、前記座標系上に設置された仮想空間相互の干渉発生の有無をチェックする処理を実行する干渉チェック機能を有することを特徴とするプラント機器配置設計システム。
【請求項５】
複数階からなるプラントの機器配置設計を３次元ＣＡＤにより３次元的に行うプラント機器配置設計システムであって、プラントを構成する機器の３次元空間上の位置を予め定めた基準配置ルールデータベースを備え、演算処理装置にプラント出力，各階の高さ，機器構成および建屋寸法等のプラント基本計画情報を入力し、前記プラント基本計画情報に含まれる標準的な構造材の情報をもとに３次元空間上に基準となる座標系を設定し、前記配置ルールに沿って機器・配管・通路および各階毎床の仮想空間を前記座標系上に機器配置位置として設置して機器配置設計を行い、対象プラントの機器・配管・通路および各階毎床の仮想空間を三次元空間上に配置した機器配置図を作成し出力することを特徴とするプラント機器配置設計システム。
【請求項６】
請求項５記載のプラント機器配置設計システムにおいて、前記座標系上に設置された仮想空間相互の干渉発生の有無をチェックする処理を実行する干渉チェック機能を有することを特徴とするプラント機器配置設計システム。
【請求項７】
複数階からなるプラントの機器配置設計を３次元ＣＡＤにより３次元的に行うプラント機器配置設計システムであって、プラントを構成する機器の階層毎の配置ルールを複数のパターンについて格納した基準配置ルールデータベースと、前記基準配置ルールデータベースの中から対象プラントの仕様と最も近い配置情報を抽出する抽出機能と、前記抽出機能により抽出された情報の属性データとして設計履歴および顧客の情報を格納したデータベースと、前記抽出機能により選択された各階情報の配管・配線の取り合い点を入力する機能と、対象とするプラントの機器のうちで複数階に跨る機器情報を管理するデータベースと、前記複数階に跨る機器情報を管理するデータベースに沿って前記抽出機能で抽出された各階配置情報の機器及び床の位置に仮想空間を配置する仮想空間配置機能と、前記仮想空間を配置する機能により得られた配置情報履歴を管理するデータベースと、前記配置情報履歴を管理するデータベースの情報をもとにプラント機器配置設計図面を作成する機能とを有することを特徴とするプラント機器配置設計システム。
【請求項８】
請求項７記載のプラント機器配置設計システムにおいて、前記基準配置ルールデータベースには、機器の３次元空間上の位置を定めた配置ルールが内包されていることを特徴とするプラント機器配置設計システム。
【請求項９】
請求項７記載のプラント機器配置設計システムにおいて、前記仮想空間配置機能を実行することによって得られた仮想空間の干渉発生の有無をチェックする干渉チェック機能を有することを特徴とするプラント機器配置設計システム。
【請求項１０】
請求項７記載のプラント機器配置設計システムにおいて、前記仮想空間配置機能には、予め設定された位置調整ルールにしたがって変更する機能が内包されていることを特徴とするプラント機器配置設計システム。
【発明の詳細な説明】
【技術分野】
【０００１】
本発明は、３次元ＣＡＤ（Three Dimensions Computer Aided Design）を用い、３次元の空間割り付けによって、複数階からなるプラントの機器配置設計を行うようにしたプラント機器配置設計システムに関する。
【背景技術】
【０００２】
プラント機器配置設計では、一般に、対象とするプラントの仕様に類似した先行プラント計画情報を用いて、修正を繰り返し、最終的に顧客要求を満足するような設計図面を作成している。この場合、複数階からなるプラントでは、水平方向の機器配置・接続計画だけでなく、上下方向の機器配置・接続計画も考慮しなければならないという難しさがある。このようなことから、３次元ＣＡＤを用いてプラントの機器配置設計を行うシステムが提案されている（例えば、特許文献１参照）。
【０００３】
【特許文献１】特開平６-３０９４１８号公報（要約）
【発明の開示】
【発明が解決しようとする課題】
【０００４】
特許文献１では、２次元的すなわち水平方向の機器配置計画を作り、予め準備しておいた接続ルールに沿って上下方向の機器・配管の接続を行い、最終的に３次元的に機器配置を行っている。しかし、この種の方法では、一般に上下方向の機器・配管の位置調整に手間がかかること、および、配管やプラント機器同士の干渉が起こりやすいことが懸念される。配管やプラント機器同士の干渉が生じた場合には、実際の据え付け施工時に、配管・梁・機器等の後戻り設計が発生することになる。
【０００５】
プラント設計・調達・建設を含めた業務において、後戻り設計が発生するという問題は、作業工程の増大に繋がるので大きな障害である。具体的には、機器干渉発生による位置調整や配管ルート変更と、それに伴う資材調達・施工作業・床再配置等の追加作業が発生し、プラント完成に至るまでの最終コスト増加や、運転開始時期の遅延などが生ずる。
【０００６】
本発明の目的は、３次元ＣＡＤによる複数階からなるプラントの機器配置設計において、上下方向の位置調整に手間がかかるという問題を解決することにある。
【課題を解決するための手段】
【０００７】
本発明は、プラントを構成する機器の３次元空間上の位置を予め定めた基準配置ルールデータベースを演算処理装置に格納し、プラント出力，各階の高さ，機器構成および建屋寸法等のプラント基本計画情報を入力し、このプラント基本計画情報に含まれる標準的な構造材の情報をもとに３次元空間上に基準となる座標系を設定し、前記基準配置ルールに沿って、機器・配管・通路および各階毎床の仮想空間を前記座標系上に機器配置位置として設置して機器配置設計を行うようにしたプラント機器配置設計システムにある。
【発明の効果】
【０００８】
本発明では、３次元空間に機器，配管，通路および各階毎床の仮想空間（以下、ソフトボリュームと称する）を直接割り付けていくので、上下方向の機器・配管接続の位置調整が容易であるという効果がある。
【発明を実施するための最良の形態】
【０００９】
本発明は、複数階からなるプラントの初期の機器配置設計を行うのに好適である。本発明の設計システムは、過去の事例を及び熟練技術者の知見を反映して、階層毎の配置を予めルール化した基準配置ルールを作り、これにしたがって、機器・配管・床等のソフトボリュームを自動配置していくものであるから、機器同士の干渉も起こりにくい。このため、その後の製作設計図面の作成において、後戻り設計が生ずるのを抑制することができる。
【００１０】
本発明のプラント機器配置設計システムには、以下の（１）〜（７）に示すような機能或いはデータベースを持たせることが望ましい。
【００１１】
（１）プラント種別、製造能力、階数、階高さ、機器構成および建屋寸法等を演算処理装置の入力画面を通して入力する機能と、先行実績設計情報、類似先行機設計例、機器接続情報および機器メンテナンス情報等を選択して機器・配管・通路および各階毎床のソフトボリュームを、予め構築された配置ルールに基づいて自動的に配置する機能。これによって、対象とするプラントの機器配置計画に、熟練技術者の知見を反映することができる。
【００１２】
（２）入力条件をメニュー化して選択する機能。これによって、例えば、プラント敷地面積、製造容量（処理能力、発電出力等）、プラント種別（発電、石油精製、化学等）、顧客要求仕様等を反映した適正な配置計画を実施することができる。
【００１３】
（３）類似先行機設計例を選択する機能と、各階層毎に複数例表示されると同時に、設計担当者・関連担当者の情報、運転開始以降の顧客クレーム等が併記される機能。これによって、経験の少ない技術者が配置計画を実施する場合に、先行事例や関連部署の熟練技術者からの情報を有効に活用することができる。
【００１４】
（４）複数パターンの階層毎の配置情報を予めルール化した基準配置ルールデータベース。この基準配置ルールデータベースの中から対象プラントの仕様と最も近い配置情報を抽出する抽出機能。この抽出機能により抽出された情報の属性データとして設計履歴および顧客の情報を格納したデータベース。前記抽出機能により選択された各階情報の配管・配線の取り合い点を入力する機能。対象とするプラント機器の内で複数階に跨る機器情報を管理するデータベース。複数階に跨る機器情報管理データベースを元に抽出された各階配置情報の機器位置を調整する機能。機器位置調整機能により修正される配置情報履歴を管理するデータベース。配置情報履歴管理データベースの情報を元に初期計画図面を作成する機能。これらを具備することによって、先行プラントの配置情報を有効に活用して、新規配置計画を実施することができる。
【００１５】
（５）予め各機器の属性に応じた配置ルールが設定されたデータベース。このデータベースを持つことによって、大型補機の分解組み立て空間を自動的に隣接位置に配置すること、調整弁集合部分の操作・メンテナンス用床と分解用の上部空間を配置することが可能になる。
【００１６】
（６）ソフトボリュームの干渉チェック機能。より好ましくは、この干渉チェック機能の干渉情報を開示する機能と、自動あるいは手動により調整される配置データの修正履歴を管理する機能。これらによって、実際のプラント据え付けでの機器・構造材干渉発生を回避することができる。
【００１７】
（７）予め設定された位置調整ルールによって自動的に変更する機能。これによって、経験の異なる技術者においても、標準的なプラント配置計画を実施することができる。
【００１８】
本発明のプラント機器配置設計システムは、後述する発電プラントの機器配置設計だけではなく、各種の製造プラントおよび化学プラント等のように、複数階に跨って配置される機器および該機器に付帯する設備の配置設計システムとして適用することができる。
【００１９】
以下、本発明を、火力発電プラントの機器配置設計に適用した場合について説明するが、本発明は以下の実施例に限定されるものではない。
【実施例１】
【００２０】
図１は、本発明の処理概要図である。以下に本実施例での処理の流れを説明する。
【００２１】
火力発電プラントの機器配置設計の場合、プラント基本計画情報１として例えばプラント出力、石炭をボイラ内に投入するバーナ段数、複数階から構成されるボイラの階数、および各階の高さ等を、パーソナルコンピュータ等の演算処理装置２に入力する。演算処理装置２には、プラントを構成する機器・配管等の３次元空間上の位置を予め定めた配置ルールデータベース３が格納されており、以下に記述する入出力部分及び編集部分を用いて、対象プラントの配置計画情報を出力する。
【００２２】
演算処理装置２を実行すると、演算処理装置内部構成４に内包される基本プラットフォーム５が起動する。この基本プラットフォーム５を中心として、基本仕様入力６、階層情報入力７および機器仕様入力８を選択・起動させて、前記プラント基本計画情報１を入力する。
【００２３】
次に、配置計画実行１０１と床配置実行１０２により、プラント機器配置計画の初版に相当する３次元ＣＡＤデータを作成し、判定器１０４へ入力する。判定器１０４では、配置する機器同士、または機器と構造材例えば配管，配線，通路等との干渉を判定し、干渉発生がなければ、ＣＡＤ情報として出力１０５する。
【００２４】
一方、干渉発生を認識した場合には、発生場所と対象物情報のレポートを提示し、基本プラットフォームに接続されているルールベース編集１０３へフォードバックする。ルールベース編集１０３では、演算処理装置２の画面上に、編集の対象となる機器の配置ルールを表示し、画面上で書き換えることにより、干渉を回避させ、プラント配置計画を再度、構築する。
【００２５】
ここで、前記配置計画実行１０１では、たとえばエレベータやオープンハッチのように地上階から最上階まで同じ位置に設置する必要のある機器を最優先配置条件として、順次、主要な機器とそれに対応するメンテナンス空間を配置する。
【００２６】
以下、図１に示した各機能を実施するのに適したマンマシンインターフェイスの詳細な説明を、図２〜８を用いて行う。
【００２７】
図２は、基本プラットフォームの概要を示している。基本プラットフォーム画面９には、図１に示した基本仕様入力，階層情報入力，機器仕様入力等の機能を実施する際の画面選択機能およびその他の情報が表示される。図２には、選択機能として、基本仕様入力画面選択機能１０、階層情報入力画面選択機能１１、機器仕様入力画面選択機能１２、初期配置計画実行画面選択機能１３、床設置調整画面選択機能１４、作成データ出力画面選択機能１５、配置ルール編集画面選択機能１６、配置計画評価画面選択機能１７が設けられている。また、その他の情報表示として、使用マニュアルリンク画面１８、質疑データベースリンク画面１９、関係者連絡画面２０が設けられている。
【００２８】
使用マニュアルリンク画面１８では、各選択機能の項目をカーソル等によって選択することができ、選択した項目の画面および入力等の操作方法が、文章または図表によって提示される。質疑データベースリンク画面１９では、本発明によって構築されるプラント機器配置計画のバージョン情報やＱ＆Ａ履歴情報等が提示される。関係者連絡画面２０では、本発明によって構築されるプラント機器配置計画の管理者、実際に担当する設計者等のコンタクト情報や、メーリングリスト等が提示される。
【００２９】
図３は、図２中の基本仕様入力画面選択機能１０によってリンクする画面例を示している。基本仕様入力画面２１には、類似プラントデータシューティング条件入力欄２２と、制約条件入力欄２３と、選択データ表示欄２４が設定されている。
【００３０】
類似プラントデータシューティング条件入力欄２２について、順次説明する。寸法基準項目は、「インチ」または「メートル」を選択できる。顧客仕様検索項目は、予め電子データ化された仕様書を選択できる。敷地面積項目は、プラントの敷地寸法を「フィート」または「メートル」で入力できる。プラント型式項目では、例えばＡ型（ベンソン型ボイラ）やＢ型（貫流型ボイラ）等を選択できる。運転条件項目は、例えば発生蒸気条件が「亜臨界」や「超臨界」等を選択できる。出力項目は、例えば対象プラントの発電容量を「ＭＷ」や「ｋＷ」で入力できる。類似既納プラント３Ｄデータ選択項目は、予め電子データ化あるいは３次元データ化された先行機情報を選択できる。
【００３１】
制約条件入力欄２３について、順次説明する。エレベータ位置項目は、ボイラ本体の左右位置を設定できる。なお、ここでは簡単のため、ボイラを缶と記述し、蒸気タービンの設置位置を前側と定めている。ミル位置項目は、石炭を粉砕するためのミル位置を、前または脇に設置できる。灰搬出方向項目は、燃焼後に発生する灰を、ボイラ建屋から搬出させる方向を設定できる。主階段位置Ｘ及びＹの項目は、地上階から最上階まで通して設置する階段位置を設定できる。ヘッドクリアランス項目は、各階に配置する歩道の高さ条件を設定できる。
【００３２】
選択データ表示欄２４について、順次説明する。選択データ表示部分は、類似プラントデータシューティング条件入力欄２２の顧客仕様検索項目にて選択された仕様書を表示できる。選択３Ｄデータ表示部分は、前記類似プラントデータシューティング条件入力欄２２の類似既納プラント３Ｄデータ選択項目にて選択された３次元データを表示できる。
【００３３】
さらに、基本仕様入力画面２１の下部に表示される各機能により、基本仕様入力画面２１上で入力または設定された情報について、以下の処理を実行することができる。入力データ確認機能２５は、基本仕様入力画面２１上での設定値を確認することができる。入力データ編集機能２６は、既に設定された各情報を再入力することができる。プラットフォーム呼び出し機能２７は、基本プラットフォーム画面９へ戻ることができる。なお、以下で説明する各画面にも、同じ処理ができるように入力データ確認機能２５、入力データ編集機能２６、入力データ編集機能２７が表示される。
【００３４】
図４は、図２中の階層情報入力画面選択機能１１によってリンクする画面例を示している。階層情報入力画面２８には、初期設定入力機能２９と、類似既納プラント選択機能３０と、各階層情報入力機能３１と、入力情報確認機能３２が設定されている。
【００３５】
初期設定入力機能２９では、階数と、粉砕された石炭を缶内に投入するためのバーナの垂直方向段数と、缶内に設置される伝熱配管上に付着する灰を除去するためのスートブロア（Ｓ/Ｂ）の垂直方向段数と、缶内の壁に付着する灰を除去するためのウォールブロア（Ｗ／Ｂ）の垂直方向段数を設定することができる。類似既納プラント選択機能３０では、予めデータベース化された既納プラント情報を提示し、前述のバーナ、スートブロアおよびウォールブロアの段数等の条件に最も近いサイトの情報を選択することができる。各階層情報入力機能３１では、各階毎の寸法（階高）を直接設定することができる。入力情報確認機能３２では、例えばプラント側面図上に、エレベータ停止階である主階と、それ以外の中間階の判別情報を付加した全体画像を表示することができる。
【００３６】
図５は、図２中の機器仕様入力画面選択機能１２によってリンクする画面例を示している。機器仕様入力画面３３には、機器別情報入力機能３４が設置されている。この機器別情報入力機能３４の入力項目としては、予め設定された機器種別番号、前記機器種別番号に該当する機器名称、その補足説明情報、対象プラントでの採用有無情報、採用した場合の員数情報、対象機器の製造メーカ情報、機器の出力・仕様等の容量情報、および調達担当部署への申し送り事項等を記載した備考情報などが設定される。さらに、新規機器を採用する場合に必要となる追加入力機能が設定されている。
【００３７】
図６は、図２中の初期配置計画実行画面選択機能１３によってリンクする画面例を示している。配置計画実行画面３５には、実行開始機能３６と、階層入力結果表示機能３７と、基本配置計画情報表示機能３８と、機器ソフトボリューム配置結果表示機能３９と、配管等ソフトボリューム配置結果表示機能４０と、ソフトボリューム干渉チェック結果表示機能４１と、各階層床配置結果表示機能４２と、評価関数情報表示機能４３が設置されている。
【００３８】
実行開始機能３６は、以下に記述するＡ〜Ｇの項目に記載されている処理を実行する。
【００３９】
Ａ：図３に示した類似プラントデータシューティング条件入力欄２２によって選択された、既納プラントおよび設定条件を満たす複数候補プラントの基準鉄骨データ選択機能と、この機能によって選択された鉄骨データをもとに、３次元空間上に基準となる座標系を設定する処理を実行する。
【００４０】
Ｂ：缶配置を含んだ大まかな配置情報が記載された汽缶配置データを読み込み、前記Ａで設定された基準座標系と重ね合わせる処理を実行する。
【００４１】
Ｃ：あらかじめ分解・据え付けを考慮してスペースを設定したソフトボリュームを、配置ルールに沿って、前記基準座標系の上に機器配置位置として設置する処理を実行する。
【００４２】
Ｄ：大口径配管および計装ケーブル・ダクトが敷設されるのに適したソフトボリュームを、配置ルールに沿って、基準座標系上に設置する処理を実行する。
【００４３】
Ｅ：上記ＣおよびＤの処理によって設置されたソフトボリューム相互、および主たる構造材である鉄骨相互の干渉発生の有無をチェックする処理を実行する。
【００４４】
Ｆ：図７にて詳細に説明する床調整処理を実行する。
【００４５】
Ｇ：前記ＣおよびＤの処理によって設置されたソフトボリュームの妥当性を、予め選択した評価関数に則り、評価する処理を実行する。
【００４６】
以上のＡ〜Ｇの処理によって得られた結果は、ファイルとして保存される。配置計画実行画面３５には、この保存処理を行うための機能が設置されている。
【００４７】
以上のＡ〜Ｇに示す各処理の実行結果を表示する機能として、それぞれ、Ａには階層入力結果表示機能３７、Ｂには基本配置計画情報表示機能３８、Ｃには機器ソフトボリューム配置結果表示機能３９、Ｄには配管等ソフトボリューム配置結果表示機能４０が設置されている。また、Ｅにはソフトボリューム干渉チェック結果表示機能４１、Ｆには各階層床配置結果表示機能４２、Ｇには評価関数情報表示機能４３が設置されている。評価関数情報表示機能４３の評価関数としては、例えば、上述の処理によって配置されたソフトボリュームの総容積を最小とする場合、対象プラント全体の容積からソフトボリューム容積を差し引いた空きスペースを最小とする場合、機器と配管スペースが任意の空間上に占める混雑度を最小とする場合などの、適正な配置計画情報を表示することができる。
【００４８】
図７は、図２中の床配置調整画面選択機能１４によってリンクする画面例を示している。床配置調整画面４４には、実行開始機能４５と、実行ステップ表示機能４６と、床配置結果表示機能４７が設置されている。
【００４９】
実行開始機能４５では、以下のＡＡ、Ｃ，Ｄ，ＢＢ，Ｅ，ＣＣ，ＤＤに記載されている処理を実行する。
【００５０】
ＡＡ：階層情報入力画面選択機能１１によって設定された各階全面に、仮床を配置する処理を実行する。
【００５１】
Ｃ：初期配置計画実行画面選択機能１３によって配置される機器ソフトボリューム配置情報を、前記仮床の上に重ね合わせる処理する。また、前記機器ソフトボリュームが複数階に渡り配置された場合には、前記仮床の部分に、各機器に適するクリアランスをもって開放部を設定する処理を実行する。
【００５２】
Ｄ：初期配置計画実行画面選択機能１３によって配置される配管，空気ダクト及びケーブル・ダクトに相当するソフトボリューム配置情報を、前記仮床の上に重ね合わせる処理を実行する。また、ソフトボリュームが複数階に渡り配置された場合には、前記仮床の部分に、各機器に適するクリアランスをもって開放部を設定する処理を実行する。
【００５３】
ＢＢ：基本仕様入力画面選択機能１０によって配置される、ヘッドクリアランスを考慮した主歩道を配置する処理を実行する。
【００５４】
Ｅ：前記Ｃ，Ｄ，ＢＢの処理によって設置されたソフトボリューム相互、および主たる構造材である鉄骨相互の干渉発生の有無をチェックする処理を実行する。
【００５５】
ＣＣ：類似プラントデータシューティング条件入力欄２２によって選択されたデータを、前述のＡＡ，Ｃ，Ｄ，ＢＢ，Ｅの処理によって得られた仮床部分データに重ね合わせるための処理を実行する。
【００５６】
ＤＤ：前記ＣＣの処理によって仮床部分と、類似缶床部分との重複条件部分を表示し、自動または手動にて、不要部分を削除する処理を実行する。
【００５７】
以上のＡＡ，Ｃ，Ｄ，ＢＢ，Ｅ，ＣＣ，ＤＤの実行結果を表示する機能として、実行ステップ表示機能４６と、床配置結果表示機能４７が設置されている。実行ステップ表示機能４６には、前述のＡＡ，Ｃ，Ｄ，ＢＢ，Ｅ，ＣＣ，ＤＤの処理アルゴリズムが表示されており、処理の進捗に応じて現状の床配置状況を、各ステップ表示画面上に指示する機能が内包されている。また、床配置結果表示機能４７には、３次元ＣＡＤ上に配置された全体または各階毎の処理結果を表示することができる。
【００５８】
図８は、図２中の配置ルール編集画面選択機能１６によってリンクする画面例を示している。配置ルール編集画面４８には、配置機器基本情報入力機能４９と、配置ルール編集情報入力機能５０と、標準座標系内各エリア記述機能５１と、標準座標設定情報表示機能５２が設置されている。
【００５９】
配置機器基本情報入力機能４９では、機器毎のルール番号と、前記機器仕様入力画面選択機能１２によって設定される機器種別番号、機器名称、および機器配置に関する備考情報が表示される。配置ルール編集情報入力機能５０では、後述する標準座標系内各エリア記述機能５１と、標準座標設定情報表示機能５２の条件に基づいて、例えば各機器の入出力先情報、水平・垂直方向配置情報、機器高さ方向の階層情報、各機器の主要部分（例えば大型空気圧縮機）および運転に必要となる補機（例えば電動モータ）の分解・組み立て等のメンテナンスに必要なスペース情報、配置にあたっての制約条件情報等を、入力または編集することができる。
【００６０】
標準座標設定情報表示機能５２では、初期配置計画実行画面選択機能１３によって選択された階層入力結果表示機能３７の標準座標系を表示することができる。図８は一階層のみであるが、実際には対象プラントの階数に応じ、各階ごとに設定したデータを表示する。
【００６１】
標準座標系内各エリア記述機能５１では、標準座標設定情報表示機能５２中の分割エリア毎に、例えば東西南北と中間の９分割で表現し、機器ソフトボリュームの中心点（または荷重点でもよい）の位置を記述することができる。中心点の場合は、ソフトボリューム底面の中心点を示し、荷重点の場合は、ソフトボリューム内に設置する機器、補機及び架台を含んだボリューム底面での荷重中心点を示す。
【００６２】
以上の実施形態により、プラント設計時での機器・配管配置計画において、熟練技術者の知見を反映した設計を実現することができ、また、配置計画立案時間を短縮することができる。
【図面の簡単な説明】
【００６３】
【図１】本発明によるプラント機器配置設計システムの処理概要を示した説明図である。
【図２】演算処理装置の基本プラットフォームの概要を示した説明図である。
【図３】対象とするプラントの基本仕様入力の画面例を示した説明図である。
【図４】階層情報入力の画面例を示した説明図である。
【図５】機器仕様入力の画面例を示した説明図である。
【図６】初期配置計画実行の画面例を示した説明図である。
【図７】床配置調整実行の画面例を示した説明図である。
【図８】配置ルール編集の画面例を示した説明図である。
【符号の説明】
【００６４】
１…プラント基本計画情報、２…演算処理装置、３…配置ルールデータベース、４…演算処理装置内部構成、５…基本プラットフォーム、６…基本仕様入力、７…階層情報入力、８…機器仕様入力、９…基本プラットフォーム画面、１０…基本仕様入力画面選択機能、１１…階層情報入力画面選択機能、１２…機器仕様入力画面選択機能、１３…初期配置計画実行画面選択機能、１４…床配置調整画面選択機能、１５…作成データ出力画面選択機能、１６…配置ルール編集画面選択機能、１７…配置計画評価画面選択機能、１８…使用マニュアルリンク画面、１９…質疑データベースリンク画面、２０…関係者連絡画面、２１…基本仕様入力画面、２２…類似プラントデータシューティング条件入力欄、２３…制約条件入力欄、２４…選択データ表示欄、２５…入力データ確認機能、２６…入力データ編集機能、２７…プラットフォーム呼び出し機能、２８…階層情報入力画面、２９…初期設定入力機能、３０…類似既納プラント選択機能、３１…各階層情報入力機能、３２…入力情報確認機能、３３…機器仕様入力画面、３４…機器別情報入力機能、３５…配置計画実行画面、３６…実行開始機能、３７…階層入力結果表示機能、３８…基本配置計画情報表示機能、３９…機器ソフトボリューム配置結果表示機能、４０…配管等ソフトボリューム配置結果表示機能、４１…ソフトボリューム干渉チェック結果表示機能、４２…各階層床配置結果表示機能、４３…評価関数情報表示機能、４４…床配置調整画面、４５…実行開始機能、４６…実行ステップ表示機能、４７…床配置結果表示機能、４８…配置ルール編集画面、４９…配置機器基本情報入力機能、５０…配置ルール編集情報入力機能、５１…標準座標系内各エリア記述機能、５２…標準座標設定情報表示機能、１０１…配置計画実行、１０２…床配置実行、１０３…ルールベース編集、１０４…判定器、１０５…出力。
【図１】
2006330887.tif 000003
【図２】
2006330887.tif 000004
【図３】
2006330887.tif 000005
【図４】
2006330887.tif 000006
【図５】
2006330887.tif 000007
【図６】
2006330887.tif 000008
【図７】
2006330887.tif 000009
【図８】
2006330887.tif 000010